(57)【要約】【目的】  まつ毛全体に対してだけでなく、部分的にもダマを取ったり、気になる部分の束だけを狙ってとかしたりすることが可能なまつ毛用コームを提供すること。【解決手段】  この考案のまつ毛用コームは、持ち手１の一端側に部分用コーム部２を設け、他端側に全体用コーム部３を設けたものとしている。部分用コーム部２のクシ歯４は全体用コーム部３のクシ歯６より短く配列されたものとし、部分用コーム部２及び全体用コーム部３は、それぞれ回動自在に持ち手１に取り付けられ開閉可能にされており、持ち手１には部分用コーム部２及び全体用コーム部３を閉じたときにこれらの各クシ歯４，６を収容するクシ歯収容部１５を設けたものとすることができる。【選択図】  図１
0003111955.tif 000002
【実用新案登録請求の範囲】
【請求項１】
持ち手（１）の一端側に部分用コーム部（２）を設け、他端側に全体用コーム部（３）を設けたことを特徴とするまつ毛用コーム。
【請求項２】
部分用コーム部（２）のクシ歯（４）は全体用コーム部（３）のクシ歯（６）より短く配列されたものとし、部分用コーム部（２）及び全体用コーム部（３）は、それぞれ回動自在に持ち手（１）に取り付けられ開閉可能にされており、持ち手（１）には部分用コーム部（２）及び全体用コーム部（３）を閉じたときにこれらの各クシ歯（４）（６）を収容するクシ歯収容部（１５）を設けている請求項１記載のまつ毛用コーム。
【請求項３】
全体用コーム部（３）のクシ歯（６）が、両端が高く中央が低い凹形状に配列されている請求項１又は２記載のまつ毛用コーム。
【請求項４】
部分用コーム部（２）と全体用コーム部（３）は、閉じたときに両コーム部（２）（３）の先端部が接触ないしわずかな隙間を有して向き合うようにしているとともに、両コーム部（２）（３）の幅をほぼ同じにしている請求項１、２又は３記載のまつ毛用コーム。
【考案の詳細な説明】
【技術分野】
【０００１】
この考案は、マスカラをつけたあとのまつ毛をとかし、まつ毛の不自然な束を離したり、ダマを取ったりするのに使用される、まつ毛用コームに関するものである。
【背景技術】
【０００２】
従来、この種のまつ毛用コームには、一本一本が小径なクシ歯を、棒状としたクシ台に一列に設けたものや、特許文献１に記載のような複数本を直列したクシ歯を二列、並列させて設けたクシ台を備えたものが存在する。
【０００３】
このような従来のまつ毛用コームは、クシ歯がまつ毛全体に対して使用されるのに適当なサイズに設定されているため、部分的に取りきれなかったダマを取ったり、気になる部分の束だけを狙ってとかしたりできるようにはなっておらず、そのため、適正にまつ毛に付着したマスカラや、マスカラの繊維まで取れてしまうことがあり、また、わざわざクシ歯を縦にして使用したり、別の用具を使用したりしなければならず、不便を強いられていた。
【特許文献１】特開２００２−１２５７４３号公報
【考案の開示】
【考案が解決しようとする課題】
【０００４】
そこで、この考案は、まつ毛全体に対してだけでなく、部分的にもダマを取ったり、気になる部分の束だけを狙ってとかしたりすることが可能なまつ毛用コームを提供することを課題とする。
【課題を解決するための手段】
【０００５】
前記課題を解決するため、この考案は次のような技術的手段を講じている。
【０００６】
この考案のまつ毛用コームは、持ち手１の一端側に部分用コーム部２を設け、他端側に全体用コーム部３を設けたものとしている。
【０００７】
部分用コーム部２のクシ歯４は全体用コーム部３のクシ歯６より短く配列されたものとし、部分用コーム部２及び全体用コーム部３は、それぞれ回動自在に持ち手１に取り付けられ開閉可能にされており、持ち手１には部分用コーム部２及び全体用コーム部３を閉じたときにこれらの各クシ歯４，６を収容するクシ歯収容部１５を設けたものとすることができる。
【０００８】
全体用コーム部３のクシ歯６は、両端が高く中央が低い凹形状に配列されたものとすることができる。
【０００９】
部分用コーム部２と全体用コーム部３は、閉じたときに両コーム部２，３の先端部が接触ないしわずかな隙間を有して向き合うようにしているとともに、両コーム部２，３の幅をほぼ同じにしたものとすることができる。
【考案の効果】
【００１０】
この考案のまつ毛用コームは、上述のような構成を有しており、全体用コーム部３で、マスカラをつけたあとのまつ毛をとかし、まつ毛全体の不自然な束を離したり、ダマを取ったりすることができるとともに、部分用コーム部２で、全体用コーム部３では取りきれなかったダマや気になる部分の束だけを狙ってとかせるようになっている。
【００１１】
また、部分用コーム部２のクシ歯４は全体用コーム部３のクシ歯６より短く配列されたものとし、部分用コーム部２及び全体用コーム部３は、それぞれ回動自在に持ち手１に取り付けられ開閉可能にされており、持ち手１には部分用コーム部２及び全体用コーム部３を閉じたときにこれらの各クシ歯４，６を収容するクシ歯収容部１５を設けることにより、不使用時には部分用コーム部２及び全体用コーム部３を閉じてコンパクトにするとともに、クシ歯４，６を保護することができる。
【００１２】
全体用コーム部３のクシ歯６を、両端が高く中央が低い凹形状に配列すれば、まぶたのカーブによく沿うようになり、まつ毛全体の不自然な束を離す機能に優れたものとなる。
【００１３】
さらに、部分用コーム部２と全体用コーム部３は、閉じたときに両コーム部２，３の先端部が接触ないしわずかな隙間を有して向き合うようにしているとともに、両コーム部２，３の幅をほぼ同じにしたものとすると、閉じた状態のコームの両コーム部２，３間には大きな隙間や凹凸が生じないので、両コーム部２，３の先端部がポーチ等内で他の収容物に引っ掛かってコーム部２，３が勝手に開いてしまうようなことが防止される。
【考案を実施するための最良の形態】
【００１４】
この考案のまつ毛用コームは、持ち手１の一端側に部分用コーム部２を設け、他端側に全体用コーム部３を設けたものである。
【００１５】
以下、この考案の実施の好適な形態を、図面を参照して説明する。
【００１６】
図１はこの考案の実施形態のまつ毛用コームの斜視図、図２はその正面図、図３はその底面図、図４はこのまつ毛用コームを閉じた場合の正面図である。図示したものは、持ち手１、部分用コーム部２及び全体用コーム部３を透明なものとしている。
【００１７】
このまつ毛用コームでは、部分用コーム部２のクシ歯４は金属製としており、クシ台５において５〜１０ｍｍ程度の幅（長尺方向の長さ）の間に、０．５〜０．８ｍｍ程度の間隔で１列に設けられている。クシ歯４はすべて同じ長さのものが設けられている。クシ歯４は５〜１０ｍｍ程度の長さとすることができる。また、クシ歯４の間隔は０．８ｍｍ〜１ｍｍ程度とすることもできる。
【００１８】
全体用コーム部３のクシ歯６は金属製としており、クシ台７において２０〜２５ｍｍ程度の幅の間に、０．８〜１ｍｍ程度の間隔で１列に設けられている。クシ歯６は５〜１０ｍｍ程度の長さで、両端（図２の左右端）が高く中央が低いアールのついた凹形状に配列されており、まぶたのカーブによく沿うため、まつ毛全体の不自然な束を離すセパレート機能に優れたものとなっている。
【００１９】
部分用コーム部２の長さ（図２の横方向の長さ）は全体用コーム部３より短く、部分用コーム部２のクシ歯４は、全体用コーム部３のクシ歯６よりも短く配列されているので、部分的にダマをとったり、気になる部分の束だけを狙ってとかしたりするのに適している。なおクシ歯４，６の寸法、間隔等は必要に応じて適宜に変更することができる。
【００２０】
また、図５に示したように、複数本を直列したクシ歯４，６を２列、両列の位置をずらせて並列させて設けたクシ台５，７を備えたものとすることもできる。この場合、クシ歯４，６とクシ台５，７を、柔軟なナイロン等の合成樹脂の一体成形品とすれば、クシ歯４，６がクシ台５，７から抜け落ちることがあったり、クシ台５，７に曲がった状態で取り付けられたりしないので好ましい。
【００２１】
なお、クシ歯４，６の配列は、部分用コーム部２と全体用コーム部３のいずれにおいても、１列、２列のどちらであってもよく、両コーム部２，３ともクシ歯４，６の配列を１列、あるいは２列にしたり、一方のコーム部のクシ歯を１列、他方のコーム部のクシ歯を２列にしたりすることもできる。クシ歯４，６は適宜の材質のものでよい。
【００２２】
部分用コーム部２と全体用コーム部３は、いずれも内側端部８，９を厚みの薄い湾曲した形状としており、持ち手１に回動自在に連結されている。
【００２３】
持ち手１は合成樹脂製で、長さ（図２の横方向の長さ）が８０ｍｍ程度、厚み（図３の縦方向の長さ）が６ｍｍ程度としており、対向する一対の壁１０，１１と、この一対の壁１０，１１を連結する壁１２からなる断面略コ字状のものとしている。
【００２４】
持ち手１の両端部１３，１４は共に図２において下方に湾曲した形状で、両端部１３，１４間の下縁部側が開口した溝を有しており、この溝がクシ歯収納部１５となっている。そして、図４に示したように、各コーム部２，３を回動させて閉じると、クシ歯４，６全体が前記クシ歯収納部１５に収容された状態になるようにしている。なお、クシ歯４，６の全体でなく先端部が収容された状態になるようにしてもよい。
【００２５】
部分用コーム部２と全体用コーム部３は、両方を開いた状態又は閉じた状態、あるいは、いずれか一方のみを開いた状態にすることができる。使用者は、部分用コーム部２と全体用コーム部３をそれぞれ適宜開閉して使い分けることが可能で、全体用コーム部３では、マスカラをつけたあとのまつ毛をとかし、まつ毛全体の不自然な束を離したり、ダマを取ったりすることができ、部分用コーム部２では、全体用コーム部３では取りきれなかったダマや気になる部分の束だけを狙ってとかすことができる。
【００２６】
両コーム部２，３が閉じた状態では、部分用コーム部２と全体用コーム部３を閉じると非常にコンパクトなものとなり、しかも、クシ歯４，６が前記クシ歯収納部１５に入り込んで保護されるので、化粧用ポーチ等に収納して携帯する場合などに、クシ歯４，６が折れ曲がったり、傷んだりしないものとなり、保管しやすい。また、クシ歯４，６に付着したマスカラ等によってポーチ等の内部や他の収容物を汚すことがないので携帯に便利である。
【００２７】
持ち手１と部分用コーム部２及び全体用コーム部３との連結は、図示したものにおいては、部分用コーム部２と全体用コーム部３の内側端部８，９の両面に設けた円形の突起１６を、持ち手１の両端部の前記一対の壁１０，１１に設けた円形の孔１７に嵌めたものとしているが、特許文献１の図４等に記載されたような構造とすることにより、部分用コーム部２又は全体用コーム部３を開いたときに、コーム部２，３が持ち手１の先端に突出した状態に維持することができるとともに、コーム部２，３を持ち手１側に回動させて閉じたときに、クシ歯４，６が前記クシ歯収納部１５に入り込んだ状態に維持することができるようにすることができる。
【００２８】
両コーム部２，３の長さ（図４における横方向の長さ）は、あわせると持ち手１の長さとほぼ同じになるようにしており、両コーム部２，３を閉じた状態においては、図４中の持ち手１の下縁部側において、両コーム部２，３の先端部が接触ないしわずかな隙間を有して向き合うようになっている。また、両コーム部２，３は同じ幅（図４における縦方向の長さ）を有するようにしている。そのため、閉じた状態のコームの両コーム部２，３間には大きな隙間や凹凸が生じないので、両コーム部２，３の先端部がポーチ等内で他の収容物に引っ掛かってコーム部２，３が勝手に開いてしまうようなことが防止されるようになっている。
【００２９】
さらに、図３からわかるように、両コーム部２，３のクシ台５，７の厚み（図３における縦方向の長さ）は、持ち手１の厚みとほぼ同じになるようにしており、厚み方向に関しても大きな凹凸が生じないようになっている。
【００３０】
なお、図示したものは、部分用コーム部２と全体用コーム部３が、開いた状態において、図２に示したように、いずれも突出せず持ち手１と一直線状になるようにしているが、特許文献１に記載のように、持ち手１の両端部１３，１４の湾曲をさらに大きくし、使用時において、部分用コーム部２又は全体用コーム部３が突出し、持ち手１よりも、まつ毛の位置に近くなるようにしてもよい。
【図面の簡単な説明】
【００３１】
【図１】この考案の実施形態のまつ毛用コームの斜視図である。
【図２】この考案の実施形態のまつ毛用コームの正面図である。
【図３】この考案の実施形態のまつ毛用コームの底面図である。
【図４】この考案の実施形態のまつ毛用コームを閉じた場合の正面図である。
【図５】この考案の他の実施形態のまつ毛用コームの部分用コーム部の説明図である。
【符号の説明】
【００３２】
１  持ち手
２  部分用コーム部
３  全体用コーム部
４  クシ歯
６  クシ歯
１５  クシ歯収容部
【図１】
0003111955.tif 000003
【図２】
0003111955.tif 000004
【図３】
0003111955.tif 000005
【図４】
0003111955.tif 000006
【図５】
0003111955.tif 000007